(57)【要約】【課題】ガイド部の浮き上がりが抑制されて操作感が良好なシート支持装置、及びシート搬送装置を提供すること。【解決手段】シート支持装置は、ベース部５１と、支持部５３と、ガイド部５５Ｆ，５５Ｒとを備え、ガイド部５５Ｆ，５５Ｒには、第一フック７１Ｆ，７１Ｒ及び第二フック７２Ｆ，７２Ｒが形成され、ガイド部５５Ｆ，５５Ｒが支持部５３に対してシートの幅方向へ変位可能に取り付けられ、支持部５３がベース部５１に取り付けられていない場合には、ガイド部５５Ｆ，５５Ｒを第二範囲へ変位させることによってガイド部５５Ｆ，５５Ｒが支持部５３に対して着脱可能となり、支持部５３がベース部５１に取り付けられた場合には、ガイド部５５Ｆ，５５Ｒは、ベース部５１に規制されて第二範囲へは変位不能となるように構成されている。【選択図】図６
2016204145.tif 000002
【特許請求の範囲】
【請求項１】
ベース部と、
搬送方向下流側へ搬送されるシートを第一面で支持可能で、前記第一面の反対側にある第二面を前記ベース部に向けて当該ベース部に対して取り付けられる支持部と、
前記支持部に取り付けられ、前記第一面におけるシートの搬送方向に直交するシートの幅方向に変位可能で、前記支持部によって支持されたシートの幅方向の端縁に当接可能なガイド面を有するガイド部と
を備え、
前記ガイド部には、前記シートの搬送方向へ互いに離間した位置に設けられた第一フック及び第二フックが形成され、前記第一フックが前記第二フックよりも前記シートの搬送方向上流側で前記支持部に引っ掛かり、かつ前記第二フックが前記第一フックよりも前記シートの搬送方向下流側で前記支持部に引っ掛かることにより、前記ガイド部が前記支持部に対して前記シートの幅方向へ変位可能に取り付けられ、
前記支持部が前記ベース部に取り付けられていない場合には、前記ガイド部は、前記第一フック及び前記第二フックが前記支持部に引っ掛かる第一範囲、及び前記第一フック及び前記第二フックのうちの少なくとも一方が前記支持部から外れる第二範囲において、前記シートの幅方向へ変位可能で、前記ガイド部を前記第二範囲へ変位させることによって当該ガイド部が前記支持部に対して着脱可能となり、
前記支持部が前記ベース部に取り付けられた場合には、前記ガイド部は、前記第一範囲において前記シートの幅方向へ変位可能、かつ前記ベース部に規制されて前記第二範囲へは変位不能となるように構成されている
シート支持装置。
【請求項２】
請求項１に記載のシート支持装置であって、
前記ガイド部は二つあって、当該二つのガイド部は、前記第一面に沿った位置において前記シートの幅方向に間隔を空けて互いのガイド面を対向させて配置され、
各ガイド部には、前記第二面に沿った位置に配置されるラックと、前記ガイド部と前記ラックとを連結する連結部とが一体成形され、
前記支持部には、前記第一面と前記第二面との間を貫通するとともに、その貫通箇所が前記シートの幅方向に延在する形状とされた溝部が形成されて、当該溝部に前記連結部が通されており、
前記支持部の前記第二面には、二つの前記ラックと噛み合うことにより、いずれか一方の前記ラックが変位した際に他方の前記ラックを一方の前記ラックとは反対方向へ変位させるピニオンが配設されている
シート支持装置。
【請求項３】
請求項２に記載のシート支持装置であって、
前記ガイド部が前記支持部に取り付けられる際には、前記ラックが前記溝部の貫通方向に挿し込まれてから引き続いて前記連結部が前記溝部に通されることにより、前記ガイド部が前記第二範囲に配置されるように構成されている
シート支持装置。
【請求項４】
請求項３に記載のシート支持装置であって、
前記溝部は、前記シートの搬送方向と同方向である前記溝部の幅方向の寸法が第一の寸法とされた狭幅部と、前記溝部の幅方向の寸法が前記第一の寸法よりも広い第二の寸法とされた広幅部とを有し、前記ガイド部が前記支持部に取り付けられる際には、前記広幅部において前記第一フックを前記溝部の貫通方向へ導入可能で、前記第一フックを前記広幅部から前記狭幅部へと変位させると前記第一フックが前記溝部をなす部分に引っ掛かって前記溝部から抜けなくなるように構成されている
シート支持装置。
【請求項５】
請求項４に記載のシート支持装置であって、
前記広幅部は、前記支持部が前記ベース部に取り付けられた際に、前記ベース部によって塞がれるように構成されている
シート支持装置。
【請求項６】
請求項２に記載のシート支持装置であって、
前記溝部の延在方向の一端は、前記支持部における前記幅方向の端縁に達していて、当該幅方向の端縁から前記連結部を前記溝部へと導入可能に構成され、
前記ガイド部が前記支持部に取り付けられる際には、前記連結部が前記支持部における前記幅方向の端縁から前記溝部へと導入されることにより、前記ガイド部が前記第二範囲に配置されるように構成されている
シート支持装置。
【請求項７】
請求項２から請求項６までのいずれか一項に記載のシート支持装置であって、
各ラックを挟んで前記ピニオンとは反対側となる位置には、各ラックに向かって突出するリブが形成され、前記ラックが前記ピニオンから離間する方向へ撓んだ際に前記リブの突出方向先端で前記ラックに当接するように構成されている
シート支持装置。
【請求項８】
請求項１から請求項７までのいずれか一項に記載のシート支持装置であって、
前記第二フックは、前記ガイド部から突出する基部と、当該基部の突出方向先端から屈曲して前記支持部の前記第二面に引っ掛かる爪部とを有し、
前記ガイド部には、前記基部の突出方向と同方向に貫通する透孔が形成され、当該透孔の貫通方向から見た場合に、前記爪部は前記透孔と重なる位置に形成されている
シート支持装置。
【請求項９】
本体部と、
前記本体部に配設され、シートを所定の搬送経路に沿って搬送方向下流側へと搬送する搬送部と、
前記本体部に取り付けられたベース部と、
前記搬送部によって搬送方向下流側へ搬送されるシートを第一面で支持可能で、前記第一面の反対側にある第二面を前記ベース部に向けて当該ベース部に対して取り付けられる支持部と、
前記支持部に取り付けられ、前記第一面におけるシートの搬送方向に直交するシートの幅方向に変位可能で、前記支持部によって支持されたシートの幅方向の端縁に当接可能なガイド面を有するガイド部と
を備え、
前記ガイド部には、前記シートの搬送方向へ互いに離間した位置に設けられた第一フック及び第二フックが形成され、前記第一フックが前記第二フックよりも前記シートの搬送方向上流側で前記支持部に引っ掛かり、かつ前記第二フックが前記第一フックよりも前記シートの搬送方向下流側で前記支持部に引っ掛かることにより、前記ガイド部が前記支持部に対して前記シートの幅方向へ変位可能に取り付けられ、
前記支持部が前記ベース部に取り付けられていない場合には、前記ガイド部は、前記第一フック及び前記第二フックが前記支持部に引っ掛かる第一範囲、及び前記第一フック及び前記第二フックのうちの少なくとも一方が前記支持部から外れる第二範囲において、前記シートの幅方向へ変位可能で、前記ガイド部を前記第二範囲へ変位させることによって当該ガイド部が前記支持部に対して着脱可能となり、
前記支持部が前記ベース部に取り付けられた場合には、前記ガイド部は、前記第一範囲において前記シートの幅方向へ変位可能、かつ前記ベース部に規制されて前記第二範囲へは変位不能となるように構成されている
シート搬送装置。
【請求項１０】
請求項９に記載のシート搬送装置であって、
前記支持部は、前記本体部に設けられた位置決め用の被当接箇所に当接することにより、前記支持部と前記本体部との相対位置を前記シートの幅方向について位置決めする当接部を備えている
シート搬送装置。
【発明の詳細な説明】
【技術分野】
【０００１】
本発明は、シート支持装置、及びシート搬送装置に関する。
【背景技術】
【０００２】
画像読取装置が備えるＡＤＦ（Automatic Document Feeder；自動原稿送り装置）にはシート支持装置が設けられ、ＡＤＦでの搬送対象となるシートはシート支持装置にセットされる。この種のシート支持装置は、搬送方向下流側へ搬送されるシートを第一面で支持する支持部と、支持部の第一面においてシートの幅方向へ変位可能に構成されたガイド部とを有する（例えば、特許文献１参照。）。
【０００３】
下記特許文献１に記載のシート支持装置の場合、支持部（原稿給紙台（１））の第一面（表面）にはガイド部（原稿ガイド板（２））が配設され、支持部の第二面（裏面）にはラック（ラック（３））が配設されている。支持部には、溝部（ガイド穴（１１））が形成され、ガイド部とラックは溝部を介して爪（２１）により結合されている。
【先行技術文献】
【特許文献】
【０００４】
【特許文献１】実開昭６０−１８３７３５号公報
【発明の概要】
【発明が解決しようとする課題】
【０００５】
しかしながら、上記特許文献１に記載のシート支持装置の場合、ガイド部とラックとの連結箇所（すなわち、爪（２１）のある箇所。）は、ガイド部におけるシートの搬送方向中央付近にある。そのため、ガイド部を操作してシートの幅方向へ変位させる際には、ガイド部とラックとの連結箇所付近を支点に、ガイド部におけるシートの搬送方向端部が支持部から持ち上がりやすくなる。したがって、ガイド部を操作する際に、ガイド部におけるシートの搬送方向下流側の端部が支持部から浮き上がりやすく、操作感が悪い。
【０００６】
以上のような事情から、ガイド部の浮き上がりが抑制されて操作感が良好なシート支持装置、及びシート搬送装置を提供することが望ましい。
【課題を解決するための手段】
【０００７】
以下に説明するシート支持装置は、ベース部と、搬送方向下流側へ搬送されるシートを第一面で支持可能で、第一面の反対側にある第二面をベース部に向けて当該ベース部に対して取り付けられる支持部と、支持部に取り付けられ、第一面におけるシートの搬送方向に直交するシートの幅方向に変位可能で、支持部によって支持されたシートの幅方向の端縁に当接可能なガイド面を有するガイド部とを備え、ガイド部には、シートの搬送方向へ互いに離間した位置に設けられた第一フック及び第二フックが形成され、第一フックが第二フックよりもシートの搬送方向上流側で支持部に引っ掛かり、かつ第二フックが第一フックよりもシートの搬送方向下流側で支持部に引っ掛かることにより、ガイド部が支持部に対してシートの幅方向へ変位可能に取り付けられ、支持部がベース部に取り付けられていない場合には、ガイド部は、第一フック及び第二フックが支持部に引っ掛かる第一範囲、及び第一フック及び第二フックのうちの少なくとも一方が支持部から外れる第二範囲において、シートの幅方向へ変位可能で、ガイド部を第二範囲へ変位させることによって当該ガイド部が支持部に対して着脱可能となり、支持部がベース部に取り付けられた場合には、ガイド部は、第一範囲においてシートの幅方向へ変位可能、かつベース部に規制されて第二範囲へは変位不能となるように構成されている。
【０００８】
このように構成されたシート支持装置によれば、上述のような第一フック及び第二フックが互いにシートの搬送方向へ離間した位置において支持部に引っ掛けられることにより、ガイド部が支持部に取り付けられている。そのため、第一フック又は第二フックいずれか一方相当の位置においてガイド部が支持部に取り付けられている場合に比べ、ガイド部が支持部から浮き上がるのを抑制でき、ガイド部の操作感を良好にすることができる。
【０００９】
また、支持部がベース部に取り付けられていない場合には、ガイド部を上述のような第二範囲へ変位させると、ガイド部が支持部に対して着脱可能となる。一方、支持部がベース部に取り付けられた場合には、ガイド部はベース部に規制されて第二範囲へは変位不能となる。したがって、第二範囲においてガイド部を支持部に対して容易に着脱できる構造を採用しても、支持部がベース部に取り付けられれば、ガイド部が第二範囲へは変位しなくなり、ガイド部をシートの幅方向へ変位させる際、ガイド部が支持部から外れるのを適切に抑制することができる。
【００１０】
また、以下に説明するシート搬送装置は、本体部と、本体部に配設され、シートを所定の搬送経路に沿って搬送方向下流側へと搬送する搬送部と、本体部に取り付けられたベース部と、搬送部によって搬送方向下流側へ搬送されるシートを第一面で支持可能で、第一面の反対側にある第二面をベース部に向けて当該ベース部に対して取り付けられる支持部と、支持部に取り付けられ、第一面におけるシートの搬送方向に直交するシートの幅方向に変位可能で、支持部によって支持されたシートの幅方向の端縁に当接可能なガイド面を有するガイド部とを備え、ガイド部には、シートの搬送方向へ互いに離間した位置に設けられた第一フック及び第二フックが形成され、第一フックが第二フックよりもシートの搬送方向上流側で支持部に引っ掛かり、かつ第二フックが第一フックよりもシートの搬送方向下流側で支持部に引っ掛かることにより、ガイド部が支持部に対してシートの幅方向へ変位可能に取り付けられ、支持部がベース部に取り付けられていない場合には、ガイド部は、第一フック及び第二フックが支持部に引っ掛かる第一範囲、及び第一フック及び第二フックのうちの少なくとも一方が支持部から外れる第二範囲において、シートの幅方向へ変位可能で、ガイド部を第二範囲へ変位させることによって当該ガイド部が支持部に対して着脱可能となり、支持部がベース部に取り付けられた場合には、ガイド部は、第一範囲においてシートの幅方向へ変位可能、かつベース部に規制されて第二範囲へは変位不能となるように構成されている。
【００１１】
このように構成されたシート搬送装置によれば、上述のシート支持装置と同等な構成を備えているので、上述のシート支持装置について述べた通りの作用、効果を奏する。したがって、ガイド部の操作感を良好にすることができ、第二範囲においてガイド部を支持部に対して容易に着脱できる構造を採用しても、ガイド部をシートの幅方向へ変位させる際、ガイド部が支持部から外れるのを適切に抑制することができる。
【図面の簡単な説明】
【００１２】
【図１】図１は複合機の構成を示すブロック図である。
【図２】図２は読取ユニットの縦断面図である。
【図３】図３（Ａ）は供給部をシートの搬送方向に垂直な方向から見た説明図である。図３（Ｂ）は供給部を図３（Ａ）とは反対方向から見た説明図である。
【図４】図４（Ａ）はベース部をシートの搬送方向に垂直な方向から見た説明図である。図４（Ｂ）は支持部をシートの搬送方向に垂直な方向から見た説明図である。
【図５】図５（Ａ）は図３（Ｂ）中に示すＶＡ部の拡大図である。図５（Ｂ）は図３（Ｂ）中に示すＶＢ部の拡大図である。図５（Ｃ）は図３（Ｂ）中に示すＶＣ部の拡大図である。図５（Ｄ）は図３（Ｂ）中に示すＶＤ部の拡大図である。図５（Ｅ）は前方にあるガイド部における第二フック付近の斜視図である。図５（Ｆ）は後方にあるガイド部における第二フック付近の斜視図である。図５（Ｇ）は図３（Ｂ）中に示すＶＧ部の拡大図である。図５（Ｈ）は図３（Ｂ）中に示すＶＨ部の拡大図である。
【図６】図６（Ａ）はガイド部が第一位置にある状態を示す説明図である。図６（Ｂ）はガイド部が第二位置にある状態を示す説明図である。図６（Ｃ）はガイド部が第三位置にある状態を示す説明図である。
【図７】図７はガイド部を支持部に対して着脱する際の途中経過を示す斜視図である。
【図８】図８（Ａ）はＡＤＦ部の本体部を示す平面図である。図８（Ｂ）は当接部と被当接箇所を示す斜視図である。
【図９】図９（Ａ）は変形例として例示した溝部の形状を示す説明図である。図９（Ｂ）は変形例として例示した支持部の一部及びガイド部を示す正面図である。
【図１０】図１０は変形例として例示したガイド部を支持部に対して着脱する際の途中経過を示す斜視図である。
【発明を実施するための形態】
【００１３】
次に、上述のシート支持装置、及びシート搬送装置について、例示的な実施形態を挙げて説明する。
［複合機の構成］
図１に示す複合機１は、上述のシート支持装置、及びシート搬送装置の一例に相当する構成を備えるものである。複合機１は、図１に示すように、本体ユニット２と、読取ユニット３とを備える。読取ユニット３は、ＦＢ部５と、ＡＤＦ部６（本明細書でいうシート搬送装置の一例に相当。）とを備える。読取ユニット３の詳細については後述する。
【００１４】
本体ユニット２には、図１に示すように、制御部１１が設けられている。制御部１１は、周知のＣＰＵ１１Ａ、ＲＯＭ１１Ｂ、ＲＡＭ１１Ｃ、ＮＶＲＡＭ１１Ｄ、及びインターフェース部１１Ｅなどを備える。ＣＰＵ１１Ａは、ＲＯＭ１１ＢやＲＡＭ１１Ｃに記憶された制御プログラムに従って所定の処理を実行し、これにより、複合機１の各部に対する制御が実行される。
【００１５】
制御部１１による制御対象としては、画像形成部１２、ＬＡＮ通信部１３、操作パネル１４、第一イメージセンサ１５、第二イメージセンサ１６、モータ１７、モータ１８、及びシート検知センサ１９などが設けられている。これらのうち、画像形成部１２、ＬＡＮ通信部１３、及び操作パネル１４は、本体ユニット２に設けられている。第一イメージセンサ１５、及びモータ１７は、ＦＢ部５に設けられている。第二イメージセンサ１６、モータ１８、及びシート検知センサ１９は、ＡＤＦ部６に設けられている。
【００１６】
画像形成部１２は、被記録媒体に対してインクジェット方式で画像を形成可能に構成されている。より詳しくは、画像形成部１２は、被記録媒体を搬送するための搬送機構、インクを噴射する記録ヘッド、及び記録ヘッドを往復移動させるための駆動機構等を備える。ただし、これらは周知の構成なので、これ以上の説明、及び図示を省略する。なお、画像形成部１２は、電子写真方式で被記録媒体に画像を形成可能に構成されていてもよい。
【００１７】
ＬＡＮ通信部１３は、無線ＬＡＮに対応した通信インターフェース装置、及び有線ＬＡＮに対応した通信インターフェース装置によって構成されている。操作パネル１４は、利用者が複合機１に対して各種指令を与える際に操作する入力装置（例えば、タッチパネル、各種ボタン類、及びスイッチ類。）と、複合機１の動作状態などを利用者に通知するための出力装置（例えば、液晶ディスプレイ装置、及び各種ランプ類。）を有する。
【００１８】
第一イメージセンサ１５、及び第二イメージセンサ１６は、本実施形態の場合、双方とも密着イメージセンサ（ＣＩＳ；Contact Image Sensor）である。モータ１８は、第一イメージセンサ１５を作動させるための動力源である。モータ１８は、ＡＤＦ部６においてシートを搬送するための動力源である。シート検知センサ１９は、ＡＤＦ部６において搬送されるシートの搬送方向先端や搬送方向後端が、所定の検出位置を通過したことを検出するセンサである。
【００１９】
シート検知センサ１９としては、本実施形態の場合、搬送中のシートが接触する状態にあるか否かに応じてオンとオフが切り替わる接触式センサが採用されている。ただし、接触式センサを利用するか否かは任意であり、シートの搬送方向先端や搬送方向後端が所定の検出位置を通過したことを非接触で検出可能なセンサを用いてもよい。例えば、搬送中のシートが光路を遮る状態にあるか否かを検出可能な光学式センサや、搬送中のシートによって光が反射されるか否かを検出可能な光学式センサなどを利用し得る。
【００２０】
［読取ユニットの詳細］
読取ユニット３において、ＡＤＦ部６は、図２に示すように、所定の搬送経路に沿ってシートを搬送する搬送部２０を備える。搬送部２０の搬送方向上流側には、搬送部２０へ供給されるシートを支持する供給部２１（本明細書でいうシート支持装置の一例に相当。）が設けられている。搬送部２０の搬送方向下流側には、搬送部２０から排出されたシートを支持する排出部２２が設けられている。搬送部２０の上方には、搬送部２０を覆う上部カバー２４が配設されている。
【００２１】
搬送部２０は、吸入ローラ２５、分離ローラ２６Ａ、分離片２６Ｂ、第一搬送ローラ２７Ａ、第一ピンチローラ２７Ｂ、第二搬送ローラ２８Ａ、第二ピンチローラ２８Ｂ、排出ローラ２９Ａ、及び排出ピンチローラ２９Ｂなどを備える。
【００２２】
供給部２１に載置されるシートは、吸入ローラ２５によって供給部２１から搬送方向下流側へと送り出され、分離ローラ２６Ａ、及び分離片２６Ｂによって１枚ずつに分離される。そして、更に第一搬送ローラ２７Ａや第二搬送ローラ２８Ａによって搬送方向下流側へと搬送されて、排出ローラ２９Ａによって排出部２２上へと排出される。
【００２３】
上記搬送経路に沿った位置で、当該搬送経路が最も下に位置する箇所には、第一ＡＤＦプラテン３１が設けられ、搬送経路を挟んで第一ＡＤＦプラテン３１と対向する位置には、第一シート押さえ部３３が設けられている。第一シート押さえ部３３は、第一ＡＤＦプラテン３１に対して上から対向している。また、上記搬送経路に沿った位置で、第二搬送ローラ２８Ａから第一ＡＤＦプラテン３１に向かって斜め下方へと延びる搬送経路の上方には、第二ＡＤＦプラテン３２が設けられ、搬送経路を挟んで第二ＡＤＦプラテン３２と対向する位置には、第二シート押さえ部３４が設けられている。第二シート押さえ部３４は、第二ＡＤＦプラテン３２に対して斜め下から対向している。
【００２４】
これらのうち、第一ＡＤＦプラテン３１は、ＦＢ部５に配設され、第二ＡＤＦプラテン３２、第一シート押さえ部３３、及び第二シート押さえ部３４は、ＡＤＦ部６に配設されている。第一ＡＤＦプラテン３１、及び第二ＡＤＦプラテン３２は、本実施形態の場合、ガラス板によって構成されている。第一シート押さえ部３３、及び第二シート押さえ部３４は、金属製の部材（板金部品）である。
【００２５】
第一シート押さえ部３３は、ばね３５によって第一ＡＤＦプラテン３１に向かって付勢され、第一ＡＤＦプラテン３１の上面に接触しつつ通過するシートを第一ＡＤＦプラテン３１に向かって押圧する。ただし、第一シート押さえ部３３は、第一ＡＤＦプラテン３１に対向する面、かつ本実施形態でいう前後方向両端となる箇所に凸部（図示略。）を有し、これらの凸部で第一ＡＤＦプラテン３１に当接している。そのため、第一シート押さえ部３３における第一ＡＤＦプラテン３１に対向する面と第一ＡＤＦプラテン３１との間には、上述した凸部の突出高さに相当する微小な隙間が形成されている。
【００２６】
シートが第一ＡＤＦプラテン３１と第一シート押さえ部３３との間を搬送される際、第一シート押さえ部３３は、上述の微小な隙間が維持される範囲内で、シートを第一ＡＤＦプラテン３１に向かって押圧する。ばね３５は、シートの搬送を妨げない程度の付勢力で第一シート押さえ部３３を第一ＡＤＦプラテン３１に向かって押圧し、これにより、シートが第一ＡＤＦプラテン３１から浮き上がるのを抑制する。
【００２７】
第二シート押さえ部３４は、ばね３６によって第二ＡＤＦプラテン３２に向かって付勢され、第二ＡＤＦプラテン３２の下面に接触しつつ通過するシートを第二ＡＤＦプラテン３２に向かって押圧する。ただし、第二シート押さえ部３４も、第二ＡＤＦプラテン３２に対向する面、かつ本実施形態でいう前後方向両端となる箇所に凸部（図示略。）を有し、これらの凸部で第二ＡＤＦプラテン３２に当接している。そのため、第二シート押さえ部３４における第二ＡＤＦプラテン３２に対向する面と第二ＡＤＦプラテン３２との間には、上述した凸部の突出高さに相当する微小な隙間が形成されている。
【００２８】
シートが第二ＡＤＦプラテン３２と第二シート押さえ部３４との間を搬送される際、第二シート押さえ部３４は、上述の微小な隙間が維持される範囲内で、シートを第二ＡＤＦプラテン３２に向かって押圧する。ばね３６は、シートの搬送を妨げない程度の付勢力で第二シート押さえ部３４を第二ＡＤＦプラテン３２に向かって押圧し、これにより、シートが第二ＡＤＦプラテン３２から浮き上がるのを抑制する。
【００２９】
また、ＦＢ部５には、ＦＢプラテン３７が設けられ、ＡＤＦ部６には、押圧部３８が設けられている。ＦＢプラテン３７は、本実施形態の場合、第一ＡＤＦプラテン３１、及び第二ＡＤＦプラテン３２と同様に、ガラス板によって構成されている。押圧部３８は、発泡樹脂層と硬質樹脂フィルム層の積層体によって構成されている。ＡＤＦ部６が閉じられた際、押圧部３８は、若干の弾性変形を伴ってＦＢプラテン３７の上面に密接し、ＦＢプラテン３７上に載置された読み取り対象物をＦＢプラテン３７に向かって押圧する。
【００３０】
第二ＡＤＦプラテン３２及び第二シート押さえ部３４は、ＦＢプラテン３７の上面（すなわち、読み取り対象物の支持面。）に対して傾斜した状態で配置されている。そのため、第二ＡＤＦプラテン３２と第二シート押さえ部３４との間を通る搬送経路は、本実施形態でいう左上から右下へ傾斜した経路となる。したがって、第二ＡＤＦプラテン３２と第二シート押さえ部３４との間を通る搬送経路が水平に延びる構造とされている場合に比べ、搬送経路が占める領域の水平方向長は短くなる。よって、搬送経路が占める領域付近の構造を水平方向に小型化でき、その分だけ複合機１の設置に必要な面積を小さくすることができる。
【００３１】
ＦＢ部５には、ガイドレール４１、キャリッジ４３などが設けられている。ガイドレール４１は、第一ＡＤＦプラテン３１の下方からＦＢプラテン３７の下方にわたる範囲において、第一ＡＤＦプラテン３１、及びＦＢプラテン３７の下面と平行な状態で、本実施形態でいう左右方向に延在している。
【００３２】
キャリッジ４３は、ガイドレール４１の上部に取り付けられることにより、ガイドレール４１に沿って左右方向へ往復移動可能な状態で支持されている。このキャリッジ４３は、歯付きベルト（図示略。）に連結され、モータ１７から伝達される動力によって歯付きベルトが循環駆動されるのに追従して左右方向へ往復移動する。
【００３３】
第一イメージセンサ１５は、キャリッジ４３に搭載されて、キャリッジ４３とともに左右方向へ往復移動する。第二イメージセンサ１６は、第二ＡＤＦプラテン３２を挟んで搬送経路に対向する位置から移動することはない。第一イメージセンサ１５、及び第二イメージセンサ１６が有する複数の読取素子は、本実施形態でいう前後方向に配列されている。
【００３４】
ＦＢプラテン３７の上面に載置された読み取り対象物（例えば、シートやブック原稿など）の画像を読み取る場合、第一イメージセンサ１５は、読取素子の配列方向（主走査方向）に対して直交する方向（副走査方向）へキャリッジ４３とともに移動しながら画像を読み取る。また、搬送部２０によって搬送されるシートの画像を読み取る場合、第一イメージセンサ１５は、第一シート押さえ部３３、及び第一ＡＤＦプラテン３１の下方で静止し、第一ＡＤＦプラテン３１の上面に接触しつつ通過するシートの画像を読み取る。第二イメージセンサ１６は、第二シート押さえ部３４、及び第二ＡＤＦプラテン３２の下方において、第二ＡＤＦプラテン３２の上面に接触しつつ通過するシートの画像を読み取る。
【００３５】
［供給部の詳細］
供給部２１は、図３（Ａ）及び図３（Ｂ）に示すように、ベース部５１、支持部５３、及び二つのガイド部５５Ｆ，５５Ｒを備える。ベース部５１は、図３（Ａ），図３（Ｂ），及び図４（Ａ）に示すように、ＡＤＦ部６の本体部６Ａ（図２参照。本明細書でいう本体部の一例に相当。）に対して取り付けられる二つの脚部５７Ｆ，５７Ｒと、脚部５７Ｆ，５７Ｒによって支持される裏板部５９とを有する。
【００３６】
支持部５３は、ベース部５１に取り付けられた状態において上面となる第一面５３１（図３（Ａ）及び図４（Ｂ）参照。）と、第一面５３１の裏側にある第二面５３２（図３（Ｂ）参照。）とを有する。支持部５３は、第二面５３２がベース部５１に向けられた状態でベース部５１に取り付けられ、搬送部２０によって搬送方向下流側へ搬送されるシートを第一面５３１で支持することができる。支持部５３がベース部５１に取り付けられた際、支持部５３の第二面５３２は、図３（Ｂ）に示すように、一部の範囲がベース部５１の裏板部５９によって覆われる。
【００３７】
支持部５３には、図３（Ａ），図３（Ｂ），及び図４（Ｂ）に示すように、溝部６１Ｆ，６１Ｒが形成されている。溝部６１Ｆ，６１Ｒは、支持部５３において第一面５３１と第二面５３２との間を貫通しており、その貫通箇所がシートの搬送方向に直交するシートの幅方向に延在する形状とされている。溝部６１Ｆは、図３（Ａ）及び図４（Ｂ）に示すように、シートの搬送方向と同方向である溝部６１Ｆの幅方向の寸法が第一の寸法とされた狭幅部６１１Ｆと、溝部６１Ｆの幅方向の寸法が第一の寸法よりも広い第二の寸法とされた広幅部６１２Ｆとを有する。溝部６１Ｒは、溝部６１Ｒの幅方向の寸法が第一の寸法とされた狭幅部６１１Ｒと、溝部６１Ｒの幅方向の寸法が第一の寸法よりも広い第二の寸法とされた広幅部６１２Ｒとを有する。
【００３８】
ガイド部５５Ｆは、図３（Ａ）に示すように、ガイド面５５１Ｆを有し、ガイド部５５Ｒは、ガイド面５５１Ｒを有する。ガイド面５５１Ｆ、及びガイド面５５１Ｒは、支持部５３の第一面５３１に対して、上方向に延出する面である。これら二つのガイド部５５Ｆ，５５Ｒは、支持部５３の第一面５３１に沿った位置においてシートの幅方向に間隔を空けて互いのガイド面５５１Ｆ，５５１Ｒを対向させて配置される。ガイド部５５Ｆには、図３（Ｂ）に示すように、ラック６３Ｆと連結部６５Ｆが一体成形されている。ガイド部５５Ｒには、ラック６３Ｒと連結部６５Ｒが一体成形されている。
【００３９】
連結部６５Ｆは、ガイド部５５Ｆとラック６３Ｆを連結する部分であり、ガイド部５５Ｆが第一面５３１に沿った位置に配置され、連結部６５Ｆが上述の溝部６１Ｆに通され、ラック６３Ｆが第二面５３２に沿った位置に配置される。連結部６５Ｒは、ガイド部５５Ｒとラック６３Ｒを連結する部分であり、ガイド部５５Ｒが第一面５３１に沿った位置に配置され、連結部６５Ｒが上述の溝部６１Ｒに通され、ラック６３Ｒが第二面５３２に沿った位置に配置される。支持部５３の第二面５３２には、ピニオン６７が配設されている。
【００４０】
ガイド部５５Ｆには、図５（Ａ），図５（Ｃ），及び図５（Ｅ）に示すように、第一フック７１Ｆ及び第二フック７２Ｆが形成されている。ガイド部５５Ｒには、図５（Ｂ），図５（Ｄ），及び図５（Ｆ）に示すように、第一フック７１Ｒ及び第二フック７２Ｒが形成されている。
【００４１】
第一フック７１Ｆは、第二フック７２Ｆよりもシートの搬送方向上流側にあり、図５（Ａ）に示すように、溝部６１Ｆを挟んで対向する箇所において支持部５３の第二面５３２に引っ掛かっている。第一フック７１Ｒは、第二フック７２Ｒよりもシートの搬送方向上流側にあり、図５（Ｂ）に示すように、溝部６１Ｒを挟んで対向する箇所において支持部５３の第二面５３２に引っ掛かっている。
【００４２】
第二フック７２Ｆは、第一フック７１Ｆよりもシートの搬送方向下流側にあり、図５（Ｃ）に示すように、支持部５３におけるシートの搬送方向下流側端部おいて支持部５３の第二面５３２に引っ掛かっている。第二フック７２Ｒは、第一フック７１Ｒよりもシートの搬送方向下流側にあり、図５（Ｄ）に示すように、支持部５３におけるシートの搬送方向下流側端部おいて支持部５３の第二面５３２に引っ掛かっている。
【００４３】
また、第二フック７２Ｆは、図５（Ｅ）に示すように、ガイド部５５Ｆから突出する基部７２１Ｆと、基部７２１Ｆの突出方向先端から屈曲して支持部５３の第二面５３２に引っ掛かる爪部７２２Ｆとを有する。ガイド部５５Ｆには、基部７２１Ｆの突出方向と同方向に貫通する透孔７４Ｆが形成されている。透孔７４Ｆの貫通方向から見た場合、爪部７２２Ｆは透孔７４Ｆと重なる位置に形成されている。第二フック７２Ｒは、図５（Ｆ）に示すように、ガイド部５５Ｒから突出する基部７２１Ｒと、基部７２１Ｒの突出方向先端から屈曲して支持部５３の第二面５３２に引っ掛かる爪部７２２Ｒとを有する。ガイド部５５Ｒには、基部７２１Ｒの突出方向と同方向に貫通する透孔７４Ｒが形成されている。透孔７４Ｒの貫通方向から見た場合、爪部７２２Ｒは透孔７４Ｒと重なる位置に形成されている。
【００４４】
支持部５３がベース部５１に対して取り付けられた状態において、ガイド部５５Ｆ，５５Ｒは、ガイド面５５１Ｆ，５５１Ｒ間の距離が幅Ｗ１となる第一位置（図６（Ａ）参照。）と、ガイド面５５１Ｆ，５５１Ｒ間の距離が幅Ｗ２となる第二位置（図６（Ｂ）参照。）との間で変位する。
【００４５】
ガイド部５５Ｆ，５５Ｒを変位させる際には、いずれか一方のガイド部（例えばガイド部５５Ｆ。）をシートの幅方向へ変位させると、そのガイド部と一体に変位する一方のラック（例えばラック６３Ｆ。）が、当該一方のラックと噛み合うピニオン６７を回転させる。ピニオン６７が回転すると、ピニオン６７と噛み合う他方のラック（例えばラック６３Ｒ。）は、上記一方のラックとは反対方向へ変位し、他方のラックと一体に変位する他方のガイド部（例えばガイド部５５Ｒ。）も、上記一方のガイド部とは反対方向へ変位する。
【００４６】
そのため、二つのガイド部５５Ｆ，５５Ｒは、いずれか一方のガイド部（例えばガイド部５５Ｆ。）を変位させるだけで双方のガイド部５５Ｆ，５５Ｒが変位し、互いのガイド面５５１Ｆ，５５１Ｒ間の間隔が拡大又は縮小する。支持部５３によってシートを支持した際には、シートの幅方向の端縁にガイド面５５１Ｆ，５５１Ｒが当接する位置へガイド部５５Ｆ，５５Ｒを変位させることにより、シートが搬送方向に対して傾くのを規制することができる。
【００４７】
ラック６３Ｒを挟んでピニオン６７とは反対側となる位置には、図５（Ｇ）に示すように、ラック６３Ｒに向かって突出するリブ７７が形成されている。ラック６３Ｆを挟んでピニオン６７とは反対側となる位置には、図５（Ｈ）に示すように、ラック６３Ｆに向かって突出するリブ７８が形成されている。
【００４８】
ラック６３Ｒが撓むことなくシートの幅方向へ変位する際には、上述のリブ７７とラック６３Ｒとの間には僅かな隙間があり、ラック６３Ｒとリブ７７が互いに擦れないようになっている。また、ラック６３Ｆが撓むことなくシートの幅方向へ変位する際には、上述のリブ７８とラック６３Ｆとの間には僅かな隙間があり、ラック６３Ｆとリブ７８が互いに擦れないようになっている。
【００４９】
一方、ラック６３Ｒがシートの幅方向へ変位する際にピニオン６７から離間する方向へ撓んだ場合には、リブ７７が突出方向先端でラック６３Ｒに当接する。これにより、リブ７７は、ラック６３Ｒが更に撓むのを抑制して、ラック６３Ｒとピニオン６７との噛み合いが外れるのを抑制する。ラック６３Ｆがシートの幅方向へ変位する際にピニオン６７から離間する方向へ撓んだ場合には、リブ７８が突出方向先端でラック６３Ｆに当接する。これにより、リブ７８は、ラック６３Ｆが更に撓むのを抑制して、ラック６３Ｆとピニオン６７との噛み合いが外れるのを抑制する。
【００５０】
ベース部５１には、図３（Ａ）及び図４（Ａ）に示すように、規制部８１Ｆ，８１Ｒが設けられている。規制部８１Ｆ，８１Ｒは、支持部５３がベース部５１に対して取り付けられた状態において、支持部５３の第一面５３１よりも上方（図３（Ａ）では概ね紙面の手前方向。）へと突出する位置に配置される。
【００５１】
そのため、ガイド部５５Ｆが第二位置（図６（Ｂ）参照。）へと変位した際には、ガイド部５５Ｆが規制部８１Ｆに当接し、それ以上の変位が規制される。また、ガイド部５５Ｒが第二位置へと変位した際には、ガイド部５５Ｒが規制部８１Ｒに当接し、それ以上の変位が規制される。
【００５２】
一方、支持部５３がベース部５１に取り付けられていない状態においては、ガイド部５５Ｆは規制部８１Ｆには当接せず、ガイド部５５Ｒは規制部８１Ｒには当接しない。そのため、ガイド部５５Ｆ，５５Ｒは、ガイド面５５１Ｆ，５５１Ｒ間の距離が幅Ｗ３となる第三位置（図６（Ｃ）参照。）にまで変位可能となる。
【００５３】
ガイド部５５Ｆが第三位置に変位した場合には、第一フック７１Ｆが溝部６１Ｆの広幅部６１２Ｆと重なる位置に変位し、かつ、第二フック７２Ｆが支持部５３の端縁から外れる位置に変位する。そのため、第一フック７１Ｆ及び第二フック７２Ｆは、双方とも支持部５３の第二面５３２に引っ掛からない状態となり、この位置においてガイド部５５Ｆを支持部５３から取り外すことができる。
【００５４】
同様に、ガイド部５５Ｒが第三位置に変位した場合には、第一フック７１Ｒが溝部６１Ｒの広幅部６１２Ｒと重なる位置に変位し、かつ、第二フック７２Ｒが支持部５３の端縁から外れる位置に変位する。そのため、第一フック７１Ｒ及び第二フック７２Ｒは、双方とも支持部５３の第二面５３２に引っ掛からない状態となり、この位置においてガイド部５５Ｒを支持部５３から取り外すことができる。
【００５５】
ガイド部５５Ｒを支持部５３から取り外す際には、図７に示すように、連結部６５Ｒ付近を回動中心としてガイド部５５Ｒを回動させる。これにより、第一フック７１Ｒは溝部６１Ｒから引き出される。そして、溝部６１Ｒの広幅部６１２Ｒにおいて連結部６５Ｒ及びラック６３Ｒの向きを適宜調整しながら、連結部６５Ｒ及びラック６３Ｒを溝部６１Ｒから引き出すことができる。なお、図示は省略するが、ガイド部５５Ｆについてもガイド部５５Ｒと同様の手順で支持部５３から取り外すことができる。
【００５６】
また、ガイド部５５Ｆ，５５Ｒを支持部５３に取り付ける際には、上述の一連の手順とは逆の手順で作業を行えばよい。具体的には、広幅部６１２Ｆ，６１２Ｒにおいて連結部６５Ｆ，６５Ｒ及びラック６３Ｆ，６３Ｒの向きを適宜調整しながら、連結部６５Ｆ，６５Ｒ及びラック６３Ｆ，６３Ｒを溝部６１Ｆ，６１Ｒへと挿し込む。そして、連結部６５Ｆ，６５Ｒ付近を回動中心としてガイド部５５Ｆ，５５Ｒを回動させることにより、第一フック７１Ｆ，７１Ｒを広幅部６１２Ｆ，６１２Ｒへと導入し、ガイド部５５Ｆ，５５Ｒを上述の第三位置に配置する。
【００５７】
後は、ガイド部５５Ｆ，５５Ｒを上述の第一位置と第二位置との間に変位させれば、第一フック７１Ｆ，７１Ｒが狭幅部６１１Ｆ，６１１Ｒを挟む搬送方向上流側及び下流側において支持部５３の第二面５３２に引っ掛かる位置へ変位し、かつ、第二フック７２Ｆ，７２Ｒが支持部５３の端縁に引っ掛かる位置へ変位する。そして、その状態で支持部５３をベース部５１に対して取り付ければ、規制部８１Ｆ，８１Ｒがガイド部５５Ｆ，５５Ｒに当接し得る位置に配置される。その結果、ガイド部５５Ｆ，５５Ｒが第二位置へ変位した際には規制部８１Ｆ，８１Ｒに当接し、ガイド部５５Ｆ，５５Ｒが第三位置へは変位しなくなるので、ガイド部５５Ｆ，５５Ｒを支持部５３から外れないようにすることができる。なお、上述の第一位置から第二位置に至る範囲が、本明細書でいう第一範囲の一例に相当する。また、上述の第三位置が、本明細書でいう第二範囲の一例に相当する。
【００５８】
ベース部５１には、図３（Ａ）及び図４（Ａ）に示すように、閉塞部８３Ｆ，８３Ｒが設けられている。閉塞部８３Ｆは、支持部５３がベース部５１に対して取り付けられた状態において、溝部６１Ｆの広幅部６１２Ｆと重なる位置に配置される。閉塞部８３Ｒは、支持部５３がベース部５１に対して取り付けられた状態において、溝部６１Ｒの広幅部６１２Ｒと重なる位置に配置される。これにより、広幅部６１２Ｆ，６１２Ｒが閉塞部８３Ｆ，８３Ｒによって塞がれるので、広幅部６１２Ｆ，６１２Ｒにおける異物の侵入を抑制することができる。
【００５９】
また、支持部５３の第二面５３２には、位置決め用の当接部８５が設けられている。この当接部８５は、所定の間隔を空けて対向する二つの壁面によって構成される。ＡＤＦ部６の本体部６Ａには、図８（Ａ）に示すように、位置決め用の被当接箇所８６が設けられている。この被当接箇所８６は、ベース部５１及び支持部５３がＡＤＦ部６の本体部６Ａに対して取り付けられた際に、当接部８５が有する二つの壁面間に嵌まり込む突設物である。被当接箇所８６の側面と当接部８５の壁面とが当接することにより、支持部５３は、シートの幅方向について、ＡＤＦ部６の本体部６Ａに対して直接位置決めされる。
【００６０】
［効果］
以上のように構成された複合機１によれば、上述のような第一フック７１Ｆ，７１Ｒ、第二フック７２Ｆ，７２Ｒが互いにシートの搬送方向へ離間した位置において支持部５３に引っ掛けられることにより、ガイド部５５Ｆ，５５Ｒが支持部５３に取り付けられている。そのため、第一フック又は第二フックいずれか一方相当の位置においてガイド部が支持部に取り付けられている場合に比べ、ガイド部５５Ｆ，５５Ｒが支持部５３から浮き上がるのを抑制でき、ガイド部５５Ｆ，５５Ｒの操作感を良好にすることができる。
【００６１】
また、支持部５３がベース部５１に取り付けられていない場合には、ガイド部５５Ｆ，５５Ｒを上述のような第三位置（すなわち、第二範囲。）へ変位させると、ガイド部５５Ｆ，５５Ｒが支持部５３に対して着脱可能となる。一方、支持部５３がベース部５１に取り付けられた場合には、ガイド部５５Ｆ，５５Ｒはベース部５１が有する規制部８１Ｆ，８１Ｒに規制されて第三位置へは変位不能となる。したがって、第三位置においてガイド部５５Ｆ，５５Ｒを支持部５３に対して容易に着脱できる構造を採用しても、支持部５３がベース部５１に取り付けられれば、ガイド部５５Ｆ，５５Ｒが第三位置へは変位しなくなる。これにより、ガイド部５５Ｆ，５５Ｒをシートの幅方向へ変位させる際、ガイド部５５Ｆ，５５Ｒが支持部５３から外れるのを適切に抑制することができる。
【００６２】
また、上記複合機１の場合、ガイド部５５Ｆ，５５Ｒが支持部５３に取り付けられる際には、ラック６３Ｆ，６３Ｒが溝部６１Ｆ，６１Ｒの貫通方向に挿し込まれてから引き続いて連結部６５Ｆ，６５Ｒが溝部６１Ｆ，６１Ｒに通されて、ガイド部５５Ｆ，５５Ｒが第三位置に配置される。したがって、連結部６５Ｆ，６５Ｒを溝部６１Ｆ，６１Ｒへ導入するための導入口を支持部５３の端部等に設ける必要がなく、そのような導入口が設けられない分だけ支持部５３の剛性が低下するのを抑制することができる。
【００６３】
また、上記複合機１の場合、第二フック７２Ｆが上述のような基部７２１Ｆ及び爪部７２２Ｆを有する形状とされるとともに、ガイド部５５Ｆには上述のような透孔７４Ｆが形成されている。第二フック７２Ｒが上述のような基部７２１Ｒ及び爪部７２２Ｒを有する形状とされるとともに、ガイド部５５Ｒには上述のような透孔７４Ｒが形成されている。そのため、透孔がない場合にはアンダーカット形状となる爪部７２２Ｆ，７２２Ｒであっても、スライドコア等を使わずに容易に成形でき、ガイド部５５Ｆ，５５Ｒの生産性を向上させることができる。
【００６４】
また、上記複合機１の場合、当接部８５と被当接箇所８６とを利用して、搬送部２０が配設されたＡＤＦ部６の本体部６Ａと支持部５３とを直接当接させて位置決めすることができる。したがって、ＡＤＦ部６の本体部６Ａとベース部５１とで位置決めをする場合に比べ、ガイド部５５Ｆ，５５Ｒと搬送部２０との間の位置精度が向上する。したがって、搬送部２０に対してより精度よくシートを供給することができ、シートの斜行が発生するのを抑制することができる。
【００６５】
さらに、上記複合機１の場合、第一フック７１Ｆ，７１Ｒをガイド部材５５Ｆ，５５Ｒの搬送方向下流側先端部よりも搬送方向上流側となる位置において、ガイド部５５Ｆ，５５Ｒの下面（裏面）から突出させるように形成してある。そのため、ガイド部５５Ｒ，５５Ｆの搬送方向下流側先端部の形状を前後方向に真っ直ぐに延びる形状に形成することができる。これによって、ガイド部５５Ｒ，５５Ｆの搬送方向下流側先端部の形状をすっきりさせることができ、シートの搬送をスムーズに行うことができる。
【００６６】
また、ガイド部５５Ｒ，５５Ｆの搬送方向下流側先端部の形状を前後方向に真っ直ぐに延びる形状に形成すれば、ガイド部材５５Ｒ，５５Ｆの搬送方向下流側先端部とＡＤＦ部６の本体部６Ａの上面との継ぎ目を滑らかにすることができ、シートの搬送面を平滑に形成できる。
【００６７】
また、上記複合機１の場合、支持部５３の端縁を利用して第一フック７１Ｒ，７１Ｆを引っ掛ける構成を採用したので、第一フック７１Ｒ，７１Ｆを引っ掛けるための別の溝を支持部５３に形成する必要がなく、支持部５３の第一面５３１（シートの支持面。）をすっきりさせ、外観の見映えを良くすることができる。
【００６８】
［補足］
以上、シート支持装置、及びシート搬送装置について、例示的な実施形態を挙げて説明したが、上述の実施形態は本発明の一態様として例示されるものに過ぎない。すなわち、本発明は、上述の例示的な実施形態に限定されるものではなく、本発明の技術的思想を逸脱しない範囲内において、様々な形態で実施することができる。
【００６９】
例えば、上記実施形態では、溝部６１Ｆ，６１Ｒが支持部５３における幅方向の端縁には達していない形状とされていたが、図９（Ａ）及び図９（Ｂ）に示すように、溝部６１Ｆ，６１Ｒは、延在方向の一端が支持部５３における幅方向の端縁に達する形状にされていてもよい。
【００７０】
この場合、支持部５３における幅方向の端縁からラック６３Ｆ，６３Ｒ及び連結部６５Ｆ，６５Ｒを溝部６１Ｆ，６１Ｒへと導入可能に構成される。このため、ガイド部５５Ｆ，５５Ｒを支持部５３に取り付ける際には、図１０に示すように、ラック６３Ｆ，６３Ｒ及び連結部６５Ｆ，６５Ｒを支持部５３における幅方向の端縁から溝部６１Ｆ，６１Ｒへと導入して、ガイド部５５Ｆ，５５Ｒを第三位置に配置することができる。
【００７１】
したがって、溝部６１Ｆ，６１Ｒの形状については、連結部６５Ｆ，６５Ｒを導入できる形状にさえなっていれば、ラック６３Ｆ，６３Ｒが通り得るような形状にしなくても済む。よって、溝部６１Ｆ，６１Ｒにラック６３Ｆ，６３Ｒを通す場合に比べ、溝部６１Ｆ，６１Ｒの幅方向寸法を小さくすることができ、溝部６１Ｆ，６１Ｒへの異物侵入等を抑制することができる。
【００７２】
また、上記実施形態では、読取ユニット３、及びシート搬送装置に相当するＡＤＦ部６が、複合機１に組み込まれる事例を示したが、単機能のイメージスキャナ装置として構成されたものにおいて、上述の構成を採用してもよい。
【００７３】
なお、以上説明した例示的な実施形態から明らかなように、本明細書で説明したシート支持装置、及びシート搬送装置は、更に以下に挙げるような構成を備えていてもよい。
まず、本明細書で説明したシート支持装置、及びシート搬送装置において、ガイド部は二つあって、当該二つのガイド部は、第一面に沿った位置においてシートの幅方向に間隔を空けて互いのガイド面を対向させて配置され、各ガイド部には、第二面に沿った位置に配置されるラックと、ガイド部とラックとを連結する連結部とが一体成形され、支持部には、第一面と第二面との間を貫通するとともに、その貫通箇所がシートの幅方向に延在する形状とされた溝部が形成されて、当該溝部に連結部が通されており、支持部の第二面には、二つのラックと噛み合うことにより、いずれか一方のラックが変位した際に他方のラックを一方のラックとは反対方向へ変位させるピニオンが配設されていてもよい。
【００７４】
このように構成されたシート支持装置によれば、センターレジ方式でシートの搬送方向を規制することができる。
また、本明細書で説明したシート支持装置、及びシート搬送装置は、ガイド部が支持部に取り付けられる際には、ラックが溝部の貫通方向に挿し込まれてから引き続いて連結部が溝部に通されることにより、ガイド部が第二範囲に配置されるように構成されていてもよい。
【００７５】
このように構成されたシート支持装置によれば、ガイド部が支持部に取り付けられる際には、ラックが溝部の貫通方向に挿し込まれてから引き続いて連結部が溝部に通されて、ガイド部が第二範囲に配置される。したがって、連結部を溝部へ導入するための導入口を溝部の端等に設けなくても済み、そのような導入口が設けられない分だけ支持部の剛性が低下するのを抑制することができる。
【００７６】
また、本明細書で説明したシート支持装置、及びシート搬送装置において、溝部は、シートの搬送方向と同方向である溝部の幅方向の寸法が第一の寸法とされた狭幅部と、溝部の幅方向の寸法が第一の寸法よりも広い第二の寸法とされた広幅部とを有し、ガイド部が支持部に取り付けられる際には、広幅部において第一フックを溝部の貫通方向へ導入可能で、第一フックを広幅部から狭幅部へと変位させると第一フックが溝部をなす部分に引っ掛かって溝部から抜けなくなるように構成されていてもよい。
【００７７】
このように構成されたシート支持装置によれば、上述のような広幅部において第一フックを溝部の貫通方向へ導入して第一フックを広幅部から狭幅部へと変位させると第一フックが溝部をなす部分に引っ掛かって溝部から抜けなくなる。したがって、第一フックが溝部から外れるのを抑制することができる。
【００７８】
また、本明細書で説明したシート支持装置、及びシート搬送装置において、広幅部は、支持部がベース部に取り付けられた際に、ベース部によって塞がれるように構成されていてもよい。
【００７９】
このように構成されたシート支持装置によれば、広幅部は、支持部がベース部に取り付けられた際にベース部によって塞がれる。したがって、広幅部が塞がれない場合に比べ、広幅部へ入り込んだ異物が溝部よりも更に奥へ侵入するのを抑制することができる。
【００８０】
また、本明細書で説明したシート支持装置、及びシート搬送装置において、溝部の延在方向の一端は、支持部における幅方向の端縁に達していて、当該幅方向の端縁から連結部を溝部へと導入可能に構成され、ガイド部が支持部に取り付けられる際には、連結部が支持部における幅方向の端縁から溝部へと導入されることにより、ガイド部が第二範囲に配置されるように構成されていてもよい。
【００８１】
このように構成されたシート支持装置によれば、ガイド部が支持部に取り付けられる際には、連結部が支持部の幅方向の端縁から溝部へ導入されて、ガイド部が第二範囲に配置される。したがって、溝部の形状については、連結部を導入できる形状にさえなっていれば、ラックが通り得るような形状にしなくても済むので、溝部にラックを通す場合に比べ、溝部の幅方向寸法を小さくすることができ、溝部への異物侵入等を抑制することができる。
【００８２】
また、本明細書で説明したシート支持装置、及びシート搬送装置において、各ラックを挟んでピニオンとは反対側となる位置には、各ラックに向かって突出するリブが形成され、ラックがピニオンから離間する方向へ撓んだ際にリブの突出方向先端でラックに当接するように構成されていてもよい。
【００８３】
このように構成されたシート支持装置によれば、ラックがピニオンから離間する方向へ撓んだ際に、リブの突出方向先端でラックに当接することにより、ラックとピニオンとの噛み合いが解除されるのを抑制することができる。
【００８４】
また、本明細書で説明したシート支持装置、及びシート搬送装置において、第二フックは、ガイド部から突出する基部と、当該基部の突出方向先端から屈曲して支持部の第二面に引っ掛かる爪部とを有し、ガイド部には、基部の突出方向と同方向に貫通する透孔が形成され、当該透孔の貫通方向から見た場合に、爪部は透孔と重なる位置に形成されていてもよい。
【００８５】
このように構成されたシート支持装置によれば、第二フックが上述のような基部及び爪部を有する形状とされるとともに、ガイド部には上述のような透孔が形成されている。そのため、透孔がない場合にはアンダーカット形状となる爪部であっても、スライドコア等を使わずに容易に成形でき、ガイド部の生産性を向上させることができる。
【００８６】
また、本明細書で説明したシート搬送装置において、支持部は、本体部に設けられた位置決め用の被当接箇所に当接することにより、支持部と本体部との相対位置をシートの幅方向について位置決めする当接部を備えていてもよい。
【００８７】
このように構成されたシート搬送装置によれば、搬送部が配設された本体部と支持部とを直接当接させて位置決めすることができるので、本体部とベース部とで位置決めをする場合に比べ、ガイド部と搬送部との間の位置精度が向上する。したがって、搬送部に対してより精度よくシートを供給することができ、シートの斜行が発生するのを抑制することができる。
【符号の説明】
【００８８】
１…複合機、２…本体ユニット、３…読取ユニット、５…ＦＢ部、６…ＡＤＦ部、６Ａ…本体部、１１…制御部、１１Ａ…ＣＰＵ、１１Ｂ…ＲＯＭ、１１Ｃ…ＲＡＭ、１１Ｄ…ＮＶＲＡＭ、１１Ｅ…インターフェース部、１２…画像形成部、１３…ＬＡＮ通信部、１４…操作パネル、１５…第一イメージセンサ、１６…第二イメージセンサ、１７…モータ、１８…モータ、１９…シート検知センサ、２０…搬送部、２１…供給部、２２…排出部、２４…上部カバー、２５…吸入ローラ、２６Ａ…分離ローラ、２６Ｂ…分離片、２７Ａ…第一搬送ローラ、２７Ｂ…第一ピンチローラ、２８Ａ…第二搬送ローラ、２８Ｂ…第二ピンチローラ、２９Ａ…排出ローラ、２９Ｂ…排出ピンチローラ、３１…第一ＡＤＦプラテン、３２…第二ＡＤＦプラテン、３３…第一シート押さえ部、３４…第二シート押さえ部、３５…ばね、３６…ばね、３７…ＦＢプラテン、３８…押圧部、４１…ガイドレール、４３…キャリッジ、５１…ベース部、５３…支持部、５５Ｆ，５５Ｒ…ガイド部、５７Ｆ，５７Ｒ…脚部、５９…裏板部、６１Ｆ，６１Ｒ…溝部、６３Ｆ，６３Ｒ…ラック、６５Ｆ，６５Ｒ…連結部、６７…ピニオン、７１Ｆ，７１Ｒ…第一フック、７２Ｆ，７２Ｒ…第二フック、７４Ｆ，７４Ｒ…透孔、７７…リブ、７８…リブ、８１Ｆ，８１Ｒ…規制部、８３Ｆ，８３Ｒ…閉塞部、８５…当接部、８６…被当接箇所、５３１…第一面、５３２…第二面、５５１Ｆ…ガイド面，…ガイド面、６１１Ｆ，６１１Ｒ…狭幅部、６１２Ｆ，６１２Ｒ…広幅部、７２１Ｆ，７２１Ｒ…基部、７２２Ｆ，７２２Ｒ…爪部。
【図１】
2016204145.tif 000003
【図２】
2016204145.tif 000004
【図３】
2016204145.tif 000005
【図４】
2016204145.tif 000006
【図５】
2016204145.tif 000007
【図６】
2016204145.tif 000008
【図７】
2016204145.tif 000009
【図８】
2016204145.tif 000010
【図９】
2016204145.tif 000011
【図１０】
2016204145.tif 000012